(57)【要約】【課題】１つのティーで高さ調節が自在にでき、横方向の打撃を受けたときにも、打撃力に対する抵抗が弱められ、かつ、が飛ばされてしまう可能性が少ないゴルフ用ティーを提供すること。【解決手段】先端が先細で他端側に横方向に張り出したフランジが形成された脚部と、該フランジから先端とは反対方向に延びる支持軸部とからなるティー本体と、一端にボール受け部が形成され、ティー本体の支持軸部に係合する軸方向孔を有するボール受け部材とから構成される。ボール受け部材は、ティー本体の支持軸部に対し軸線方向の異なる位置に保持できる。ボール受け部材は、ティー本体の支持軸部に対し軸線方向の無段階的に異なる位置に保持できる。ティー本体の支持軸部の外面に雄ねじが形成され、ボール受け部材の軸方向孔には、該ティー本体の支持軸部の雄ねじにねじ係合する雌ねじが形成される。また、ティーの脚部にリボンを付けておくことにより、万一、ティーが飛ばされた場合にも、ティーを容易に発見できる。【選択図】図１
2010069043.tif 000002
【特許請求の範囲】
【請求項１】
先端が先細になり、他端側に横方向に張り出したフランジが形成された脚部と、前記フランジから前記先端とは反対方向に延びる支持軸部とからなるティー本体と、
一端にボール受け部が形成され、前記ティー本体の前記支持軸部に係合する軸方向孔を有するボール受け部材と、
からなり、
前記ティー本体の前記支持軸部には外面に雄ねじが形成され、前記ボール受け部材の前記軸方向孔には、前記ティー本体の前記支持軸部の雄ねじにねじ係合する雌ねじが形成され、前記ボール受け部材は、ねじ係合により前記ティー本体の前記支持軸部に対し軸線方向の無段階的に異なる位置に保持できるようになったことを特徴とするゴルフ用ティー。
【請求項２】
請求項１に記載したゴルフ用ティーであって、前記ティー本体は軟質プラスチック材料により形成され、前記支持軸部のフランジ側根元部が小径に形成されて、横方向の打撃を受けたときに撓むようになったことを特徴とするゴルフ用ティー。
【請求項３】
先細になった脚部と、
前記脚部より大きい直径を有し該脚部に連続形成された中間円筒部と、
前記中間円筒部より大きい直径を有し段部を介して該中間円筒部に連続形成されたボール支持部と
を備えるティー本体を有し、
前記中間円筒部に摩擦係合するリング状部材が設けられ、前記リング状部材は、前記中間円筒部に対し摩擦力により軸線方向の無段階に異なる位置に保持できるようになっており、
前記ティー本体は軟質プラスチック材料により形成され、前記ボール支持部は中空の筒形で、筒形の壁部には、長さ方向のスリットが複数個、周方向に間隔をもって形成され、前記ティー本体は、横方向の打撃を受けたときに撓むようになったことを特徴とするゴルフ用ティー。
【請求項４】
請求項１から請求項３までのいずれか１項に記載したゴルフ用ティーであって、飛ばされたときに発見が容易になるようにリボンが取り付けられたことを特徴とするゴルフ用ティー。
【請求項５】
請求項１から請求項３までのいずれか１項に記載したゴルフ用ティーであって、飛ばされたときに発見が容易になるように前記脚部の設けた孔にリボンが取り付けられたことを特徴とするゴルフ用ティー。
【発明の詳細な説明】
【技術分野】
【０００１】
本発明は、ゴルフ競技においてボールを地面より所望の高さに保持するために使用されるゴルフ用ティーに関する。
【背景技術】
【０００２】
従来、ゴルフ用ティーとしては種々の構造が考えられ、実用に供されている。材料としては、木材又はプラスチック材料が使用され、形状や長さも種々のものが開発されている。
【０００３】
ゴルフ用ティーは、ボールを地面より所望の高さに保持するためのものであるが、その高さは競技者により所望の高さが異なり、かつ、使用するクラブによっても異なる高さにされる。したがって、従来は、種々異なる長さのティーが市販されており、競技者は、その中から好みのものを選んで使用している。また、ティーに乗せられたボールは横方向に強い打撃を受けるが、その打撃はティーにも加わり、ティーが打撃力に対する抵抗を生じて、打撃力を幾分でも弱める可能性がある。また、ティーが飛ばされて紛失することも多い。従来公開された文献には、下記のものがある。
【０００４】
【特許文献１】特開２００４−２５４９６２号公報
【特許文献２】特開２００７−３０１２６７号公報
【特許文献３】特開２００８−４３７２０号公報
【０００５】
特許文献１に記載されたゴルフティーは、ピン状の突き刺し部と、ボール乗せ部と、ピン状の突き刺し部とボール乗せ部とを連結する連結部材とから構成される３部品からなる。連結部材は、下端が突き刺し部の上端に嵌め込まれ、該連結部材にスライド自在にボール乗せ部が嵌合する。この特許文献１に記載されたゴルフティーは、ボールの高さを自在に調節できるようにするものではなく、打撃を受けたときにボール乗せ部が連結部材に沿ってスライドすることにより、打撃に対するティーの抵抗を軽減することを意図したものである。特許文献２も特許文献１と同様な構成のゴルフティーを開示する。特許文献１に関して前述したように、特許文献２も、ボールの高さを自在に調節できるようにするものではなく、打撃を受けたときにボール乗せ部が連結部材に沿ってスライドすることにより、打撃に対するティーの抵抗を軽減することを意図している。
【０００６】
特許文献３は、高さ調節が可能なゴルフティーを開示する。この文献に記載されたティーは、細長いティー本体の外周にリング状の止め金具２を固定手段により取り付けた構造である。固定手段の例として、ねじ係合についての言及がある。しかし、この公知の構造は、ティーが横方向の打撃力を受けたとき、打撃に対する抵抗を与え、かつ、衝撃力によって飛ばされてしまう恐れがあり、好ましくない。
【発明の開示】
【発明が解決しようとする課題】
【０００７】
本発明は、１つのティーで高さ調節が自在にできるゴルフ用ティーを提供することを一つの解決すべき課題とする。
【０００８】
本発明のもう一つの課題は、横方向の打撃を受けたときにも、打撃力に対する抵抗が弱められ、かつ、ティーが飛ばされてしまう可能性が少ないゴルフ用ティーを提供することである。
【課題を解決するための手段】
【０００９】
上記した課題を解決するため、本発明の一形態によるゴルフ用ティーは、先端が先細になり他端側に横方向に張り出したフランジが形成された脚部と、該フランジから先端とは反対方向に延びる支持軸部とからなるティー本体と、一端にボール受け部が形成され、ティー本体の支持軸部に係合する軸方向孔を有するボール受け部材とから構成される。ボール受け部材は、ティー本体の支持軸部に対しねじ係合しており、軸線方向の異なる位置に保持できる。
【００１０】
すなわち、本発明の一態様においては、ティー本体の支持軸部の外面に雄ねじが形成され、ボール受け部材の軸方向孔には、該ティー本体の支持軸部の雄ねじにねじ係合する雌ねじが形成される。この構成においては、ボール受け部材は、ねじ係合によりティー本体の支持軸部に対し軸線方向の無段階的に異なる位置に保持できるようになる。上述のゴルフ用ティーにおいては、ティー本体は軟質プラスチック材料により形成し、支持軸部のフランジ側根元部を小径に形成して、横方向の打撃を受けたときに撓むようにすることが好ましい。この構成により、ティーは、横方向の打撃を受けたときに生じる抵抗が弱められ、飛ばされる可能性が低くなる。
【００１１】
本発明の別の形態によるゴルフ用ティーは、先細になった脚部と、該脚部より大きい直径を有し該脚部に連続形成された中間円筒部と、該中間円筒部より大きい直径を有し段部を介して該中間円筒部に連続形成されたボール支持部とを備えるティー本体を有し、さらに、該中間円筒部に摩擦係合するリング状部材が設けられ、該リング状部材が、中間円筒部に対し摩擦係合により軸線方向の無段階に異なる位置に保持できるように構成される。
【００１２】
さらに、本発明のこの態様においては、ボール支持部は軟質プラスチック材料により中空の筒状に形成され、周壁部には軸方向のスリットが周方向に間隔をもって複数個形成されて、横方向の打撃を受けたときに撓むことができるように構成される。この構成により、ティーは、横方向の打撃を受けたときに生じる抵抗が弱められ、飛ばされる可能性が低くなる。
【発明を実施するための最良の形態】
【００１３】
以下、本発明の実施の形態を図について説明する。
【００１４】
図１は、本発明の一実施形態によるゴルフ用ティー１０を示すもので、図１Aは、その外観側面図である。図１Dに示すように、この実施形態によるゴルフ用ティーは、脚部１１とボール受け部１２の２部品から構成される。脚部１１とボール受け部１２は、ともにプラスチック材料から形成することが望ましい。脚部１１は、先端が先細状に形成された脚ピン部１３と該脚ピン部１３の先端とは反対側において横方向に張り出して形成されたフランジ１４を有し、該フランジ１４から上述の先端とは反対方向に延びるように、円筒形の支持軸部１５が形成されている。
【００１５】
ボール受け部１２は、全体がほぼ円筒形で、下端部が下方に向かって円錐状に拡径された形状であり、下端から軸線方向に、脚部１１の支持軸部１５に嵌合するための軸孔１６が形成されている。ボール受け部１２の上端には、ボールを支持するための複数個の爪片１７が周方向に間隔をもって形成されている。
【００１６】
図示した実施例では、脚部１１の支持軸部１５の外周面に雄ねじ１８が形成され、ボール受け部１２の軸孔１６には、該雄ねじ１８にねじ係合するための雌ねじが形成されている。図１Bは、ティーの組立状態を示す断面図であり、ボール受け部１２は、脚部１１の支持軸部１５上の雄ねじ１８に一杯にねじ込まれて、下端部がフランジ１４の上面にほぼ接する位置にある。この状態で、ティー１０は、フランジ１４の下面が地面にほぼ接するようになる位置まで、脚部１１の先端から地面に挿し込まれる。これによって、ボール受け部１２の上端の高さが定まる。図１Bに示す位置では、最も低いボール支持状態が得られる。
【００１７】
図１Cは、ボール受け部１２の軸孔１６と脚部１１の支持軸部１５とのねじ係合の深さを雄ねじ１８の途中までにして、高さ調節をした状態を示す。このように、ねじ係合深さを調節することにより、ティーの高さを無段階的に調節できる。なお、図示の例では、支持軸部１５と軸孔１６との係合はねじ係合とされているため、ティーに打撃が加えられたとき、ボール受け部１２が脚部１１から抜けて飛ぶことがなく、摩擦係合の構造よりも優れた特徴がある。
【００１８】
図１に示す実施形態では、さらに、支持軸部１５の根元部に環状の溝１５ａが形成されている。脚部１１は、比較的軟質のプラスチック材料により形成されており、支持軸部１５の根元部に形成された環状の溝１５ａにより、該支持軸部１５は、横方向にある程度の柔軟性をもつようになる。図１Aにａで示すように、ボール受け部１２が支持軸部１５の雄ねじ１８に一杯にねじ込まれた状態でも、ボール受け部１２の下面とフランジ１４の上面との間に隙間が形成される。したがって、ボール受け部１２は、最も低い位置でも、図１Eに示すように横方向に撓むことができる。したがって、ティー１０に乗せたボールに打撃が加えられたとき、ティー１０のボール受け部１２は図１Eに示すように横方向に撓むことができ、ティー１０による打撃に対する抵抗が軽減されるとともに、ティー１０が飛ばされる可能性も低くなる。
【００１９】
図２に、本発明の第２の実施形態によるゴルフ用ティー２０を示す。ティー２０は、ティー本体２１とリング状部材２２とから構成される。ティー本体２１は、先細になった脚部２３と、該脚部２３に軸方向に連続して形成され、該脚部２３より大きい直径を有する中間円筒部２４と、該中間円筒部２４に軸方向に連続して形成され、該中間円筒部２４より大きい直径を有するボール支持部２５とを有する。中間円筒部材２４とボール支持部２５との間には段部２６が形成され、ボール支持部２５の皿状のボール受け部２７が形成されている。
【００２０】
リング状部材２２は、ティー本体２１の中間円筒部２４に摩擦係合するように形成されている。本実施形態では、中間円筒部２４の外周面に外面部２８が形成され、リング状部材２２の内部に形成された軸孔には、該外面部２８に摩擦係合する内面が形成されている。図１は、リング状部材２２が中間円筒部２４の最も下方の位置に保持された状態を示す。この状態で、脚部２３を地面に刺してリング状部材２２の下面が地面に接するように位置決めすると、ティーは、最も高い調節状態になる。図２Bは、リング状部材２２を中間円筒部２４の最も上の位置に保持した状態を示す。この位置では、ティーは最も低い調節状態になる。
【００２１】
図２の実施形態では、ティー本体２１は、比較的軟質のプラスチック材料により中空円筒形に形成される。そして、ボール支持部２５の中空円筒の壁部には、軸方向のスリット２９が周方向に間隔をもって複数個形成される。このスリット２９により、ボール支持部２５は横方向に柔軟性をもつようになり、ティー２０に乗せたボールに打撃が加えられたとき、ティー２０のボール支持部２５は横方向に撓むことができ、ティー２０による打撃に対する抵抗が軽減されるとともに、ティー２０が飛ばされる可能性も低くなる。
【００２２】
また、図１及び図２のいずれの実施形態においても、ティーにリボンを付けておくことにより、万一、ティーが飛ばされた場合にも、ティーを容易に発見できる。特に、図１及び図２のいずれの実施形態でも、脚部に孔を形成し、リボンをこの孔に通すことにより、リボンを取付けることができる。
【００２３】
以上の説明から明らかなように、本発明によるゴルフ用ティーは、高さを自在に調節することができ、かつ、打撃を受けたときには横方向に撓んで抵抗を軽減する、という効果を奏する。
【図面の簡単な説明】
【００２４】
【図１】本発明の一実施形態によるゴルフ用ティーを示すもので、Aは外観側面図、Bは縦断面図、Cは高さが高くなるように調節した状態を示す縦断面図、Dはティーを分解して示す縦断面図、Eは打撃を受けたときに撓みを示す外観側面図である。
【図２】本発明の他の実施形態によるゴルフ用ティーを示すもので、Aは外観側面図、Bは高さ調節を変更した状態での縦断面図である。
【符号の説明】
【００２５】
１０、２０、３０      ゴルフ用ティー
１１                  脚部
１２                  ボール受け部
１４                  フランジ
１５                  支持軸部
１５ａ                環状溝
１６                  軸孔
１８                  雄ねじ
２１                  ティー本体
２２                  リング状部材
２４                  中間円筒部
２５                  ボール支持部
２９                  スリット
【図１】
2010069043.tif 000003
【図２】
2010069043.tif 000004